(57)【要約】【課題】最適基地局無線装置の変更頻度を低く抑える。【解決手段】エリア登録サーバ１０は、複数の基地局無線装置と通信可能な無線回線制御装置から、移動局が基地局無線装置のいずれかと無線通信を行う度に、移動局からの無線信号を受信した基地局無線装置それぞれの受信電界レベルを含む通信品質情報を受信する情報入出力部１１と、情報入出力部１１で受信した通信品質情報に基づいて、受信電界レベルが最も高い基地局無線装置を、移動局との無線通信に最適な基地局無線装置として設定する情報管理部１２と、を有する。情報管理部１２は、移動局による無線通信が行われる度に、情報入出力部１１で受信した通信品質情報に基づいて、最適な基地局無線装置として設定した基地局無線装置の受信電界レベルが閾値以上であるか否かを判定し、閾値以上である場合は、該基地局無線装置を最適な基地局無線装置とした設定を維持する。【選択図】図２
2014033353.tif 000002
【特許請求の範囲】
【請求項１】
複数の基地局無線装置と通信可能な無線回線制御装置と接続され、移動局が前記複数の基地局無線装置のいずれかと無線通信を行う度に、前記無線回線制御装置から、前記複数の基地局無線装置のうちの、前記移動局からの無線信号を受信した基地局無線装置それぞれの前記無線信号の受信電界レベルを含む通信品質情報を受信する第１の通信部と、
前記第１の通信部で受信した前記通信品質情報に基づいて、前記受信電界レベルが最も高い基地局無線装置を、前記移動局との無線通信に最適な基地局無線装置として設定する情報管理部と、を有し、
前記情報管理部は、前記移動局による前記無線通信が行われる度に、前記第１の通信部で受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する、エリア登録サーバ。
【請求項２】
前記情報管理部は、前記最適な基地局無線装置として設定した基地局無線装置の受信電界レベルが前記閾値未満であると判定した場合には、該基地局無線装置に代えて、前記通信品質情報に含まれている他の基地局無線装置のうちで前記受信電界レベルが最も高い基地局無線装置を前記最適な基地局無線装置として設定する、請求項１に記載のエリア登録サーバ。
【請求項３】
ネットワークを介して前記移動局の現在位置を示す現在位置情報を周期的に受信する第２の通信部を、さらに有し、
前記複数の基地局無線装置のそれぞれは、前記移動局との無線通信が可能な範囲を規定したエリアを備え、
前記情報管理部は、
前記基地局無線装置毎に、前記エリア内の前記受信電界レベルが所定値以上である所定の地域の位置情報を保持しており、
前記最適な基地局無線装置として設定した基地局無線装置の受信電界レベルが前記閾値未満である場合に、前記第２の通信部で受信した前記現在位置情報と保持した前記所定の地域の位置情報とに基づいて、前記移動局が前記他の基地局無線装置のいずれかの前記所定の地域内に位置するか否かを判定し、位置する場合には、該所定の地域を管理している基地局無線装置を前記最適な基地局無線装置として設定する、請求項２に記載のエリア登録サーバ。
【請求項４】
ネットワークを介して前記移動局の現在位置を示す現在位置情報を周期的に受信する第２の通信部を、さらに有し、
前記情報管理部は、前記複数の基地局無線装置それぞれの基地局位置情報を保持しており、前記最適な基地局無線装置として設定した基地局無線装置の受信電界レベルが前記閾値未満である場合に、前記第２の通信部で受信した前記現在位置情報と保持した前記基地局位置情報とに基づいて、前記通信品質情報に含まれている他の基地局無線装置のうちで、前記移動局との距離が最も近い基地局無線装置を前記最適な基地局無線装置として設定する、請求項１に記載のエリア登録サーバ。
【請求項５】
前記情報管理部は、前記基地局無線装置毎に、前記移動局との無線通信が可能な受信電界レベルを該基地局無線装置の受信感度に応じて規定した値を前記閾値として保持している、請求項１乃至４のいずれか１項に記載のエリア登録サーバ。
【請求項６】
移動局と、
前記移動局との無線通信が可能な複数の基地局無線装置と、
前記複数の基地局無線装置と接続され、前記移動局が前記複数の基地局無線装置のいずれかと無線通信を行う度に、前記複数の基地局無線装置のうちの、前記移動局からの無線信号を受信した基地局無線装置それぞれから前記無線信号の受信電界レベルを含む通信品質情報を受信する無線回線制御装置と、
前記移動局との無線通信に最適な基地局無線装置の情報を管理するエリア登録サーバと、を有し、
前記エリア登録サーバは、
前記移動局による前記無線通信が行われる度に、前記無線回線制御装置から前記通信品質情報を受信する通信部と、
前記通信部で受信した前記通信品質情報に基づいて、前記受信電界レベルが最も高い基地局無線装置を、前記最適な基地局無線装置として設定する情報管理部と、を有し、
前記情報管理部は、前記移動局による前記無線通信が行われる度に、前記通信部で受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する、移動通信システム。
【請求項７】
複数の基地局無線装置と通信可能な無線回線制御装置から、移動局が前記複数の基地局無線装置のいずれかと無線通信を行う度に、前記複数の基地局無線装置のうちの、前記移動局からの無線信号を受信した基地局無線装置それぞれの前記無線信号の受信電界レベルを含む通信品質情報を受信し、
受信した前記通信品質情報に基づいて、前記受信電界レベルが最も高い基地局無線装置を、前記移動局との無線通信に最適な基地局無線装置として設定し、
前記移動局による前記無線通信が行われる度に、受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する、基地局無線装置選択方法。
【請求項８】
複数の基地局無線装置と通信可能な無線回線制御装置から、移動局が前記複数の基地局無線装置のいずれかと無線通信を行う度に、前記複数の基地局無線装置のうちの、前記移動局からの無線信号を受信した基地局無線装置それぞれの前記無線信号の受信電界レベルを含む通信品質情報を受信する処理と、
受信した前記通信品質情報に基づいて、前記受信電界レベルが最も高い基地局無線装置を、前記移動局との無線通信に最適な基地局無線装置として設定する処理と、
前記移動局による前記無線通信が行われる度に、受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する処理と、をコンピュータに実行させるプログラム。
【発明の詳細な説明】
【技術分野】
【０００１】
本発明は、移動通信システムに関に関する。
【背景技術】
【０００２】
最近では、都道府県・市町村デジタル移動通信システムや消防・救急デジタル無線システムが提供され、運用されている。
【０００３】
この種の移動通信システムは、ＴＤＭ（Time Division Multiplexing）／ＴＤＭＡ（Time Division Multiple Access）方式、ＳＣＰＣ（Single Channel Per Carrier）／ＦＤＭＡ（Frequency Division Multiple Access）方式で通信を行うデジタル移動通信システムであって、その主要部は、移動局と、移動局と無線通信を行う基地局無線装置と、システム全体を管理する統制局とを有する。
【０００４】
統制局は、エリア登録サーバおよび無線回線制御装置を含む。無線回線制御装置は、エリア登録サーバおよび各基地局無線装置と接続され、移動局間や、移動局とエリア登録サーバの間の通信制御を行う。
【０００５】
基地局無線装置は、無線通信が可能な範囲を規定したエリアを備え、該エリア内の移動局と無線通信を行う。基地局無線装置は、移動局間や移動局と統制局間の無線通信の中継を行う。複数の基地局無線装置が互いのエリアの一部が重なるように配置される。
【０００６】
上記の移動通信システムにおいて、基地局無線装置は、移動局との無線通信を開始した際に、受信電界レベルを測定し、受信電界レベルの測定値、自基地局を識別するための基地局識別情報、移動局の移動局識別情報などを含む受信品質情報を無線回線制御装置に送信する。
【０００７】
無線回線制御装置は、各基地局無線装置からの受信品質情報を、移動局別にまとめて移動局通信品質情報を生成し、該移動局通信品質情報をエリア登録サーバに送信する。
【０００８】
エリア登録サーバは、移動局別に最適基地局無線装置の情報を管理するためのデータベースを備えており、無線回線制御装置から移動局通信品質情報を受信すると、該移動局通信品質情報に含まれている基地局無線装置の受信電界レベルの測定値を比較し、受信電界レベルが最も高い基地局無線装置を最適基地局無線装置としてデータベースに登録する。
【０００９】
エリア登録サーバは、移動局通信品質情報を受信する度に、各基地局無線装置の受信電界レベルを比較し、受信電界レベルが最も高い基地局無線装置を判定し、該基地局無線装置がデータベースに登録されている最適基地局無線装置と異なる場合は、データベースに登録された最適基地局無線装置の情報を更新する。
【００１０】
なお、移動局通信品質情報が１つの基地局無線装置の情報しか含んでいない場合は、エリア登録サーバは、その基地局無線装置を最適基地局無線装置とする。
【００１１】
特許文献１には、移動通信システムに関連する技術が開示されている。
【００１２】
特許文献１に記載の移動通信システムでは、移動局は、現在通信中の基地局の受信電界レベルと、隣接基地局の受信電界レベルとを測定し、現在通信中の基地局の受信電界レベルが閾値以下で、隣接基地局の受信電界レベルが現在通信中の基地局の受信電界レベルよりもオフセット値以上大きい場合に、接続先を隣接基地局に切り替えるための要求を現在通信中の基地局に送信する。
【先行技術文献】
【特許文献】
【００１３】
【特許文献１】特開２００８−２３６６８２号公報
【発明の概要】
【発明が解決しようとする課題】
【００１４】
上述した移動通信システムにおいては、移動局が複数の基地局無線装置のエリアが重複する地域を移動しながら無線通信を断続的に複数回にわたって行うと、無線通信毎に、移動局通信品質情報が無線回線制御装置からエリア登録サーバに供給される。この場合、エリア登録サーバは、無線通信毎に、最適基地局無線装置を変更する場合があり、最適基地局無線装置の更新頻度が高くなる。最適基地局無線装置の変更頻度が高くなると、エリア登録サーバの処理負荷が増大するという問題がある。
【００１５】
加えて、最適基地局無線装置を頻繁に変更すると、無線通信が途切れることもある。
【００１６】
特許文献１に記載の技術は、ハンドオーバ時の接続先を切り替える技術であり、この技術を上記の移動通信システムに適用しても、上記の問題を解決することは困難である。
【００１７】
本発明の目的は、上記の問題を解決し、最適基地局無線装置の変更頻度を低く抑えることができる、エリア登録サーバ、移動通信システム、基地局無線装置選択方法およびプログラムを提供することにある。
【課題を解決するための手段】
【００１８】
上記目的を達成するため、本発明の一態様によれば、
複数の基地局無線装置と通信可能な無線回線制御装置と接続され、移動局が前記複数の基地局無線装置のいずれかと無線通信を行う度に、前記無線回線制御装置から、前記複数の基地局無線装置のうちの、前記移動局からの無線信号を受信した基地局無線装置それぞれの前記無線信号の受信電界レベルを含む通信品質情報を受信する第１の通信部と、
前記第１の通信部で受信した前記通信品質情報に基づいて、前記受信電界レベルが最も高い基地局無線装置を、前記移動局との無線通信に最適な基地局無線装置として設定する情報管理部と、を有し、
前記情報管理部は、前記移動局による前記無線通信が行われる度に、前記第１の通信部で受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する、エリア登録サーバが提供される。
【００１９】
本発明の別の態様によれば、
移動局と、
前記移動局との無線通信が可能な複数の基地局無線装置と、
前記複数の基地局無線装置と接続され、前記移動局が前記複数の基地局無線装置のいずれかと無線通信を行う度に、前記複数の基地局無線装置のうちの、前記移動局からの無線信号を受信した基地局無線装置それぞれから前記無線信号の受信電界レベルを含む通信品質情報を受信する無線回線制御装置と、
前記移動局との無線通信に最適な基地局無線装置の情報を管理するエリア登録サーバと、を有し、
前記エリア登録サーバは、
前記移動局による前記無線通信が行われる度に、前記無線回線制御装置から前記通信品質情報を受信する通信部と、
前記通信部で受信した前記通信品質情報に基づいて、前記受信電界レベルが最も高い基地局無線装置を、前記最適な基地局無線装置として設定する情報管理部と、を有し、
前記情報管理部は、前記移動局による前記無線通信が行われる度に、前記通信部で受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する、移動通信システムが提供される。
【００２０】
本発明のさらに別の態様によれば、
複数の基地局無線装置と通信可能な無線回線制御装置から、移動局が前記複数の基地局無線装置のいずれかと無線通信を行う度に、前記複数の基地局無線装置のうちの、前記移動局からの無線信号を受信した基地局無線装置それぞれの前記無線信号の受信電界レベルを含む通信品質情報を受信し、
受信した前記通信品質情報に基づいて、前記受信電界レベルが最も高い基地局無線装置を、前記移動局との無線通信に最適な基地局無線装置として設定し、
前記移動局による前記無線通信が行われる度に、受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する、基地局無線装置選択方法が提供される。
【００２１】
本発明の他の態様によれば、
複数の基地局無線装置と通信可能な無線回線制御装置から、移動局が前記複数の基地局無線装置のいずれかと無線通信を行う度に、前記複数の基地局無線装置のうちの、前記移動局からの無線信号を受信した基地局無線装置それぞれの前記無線信号の受信電界レベルを含む通信品質情報を受信する処理と、
受信した前記通信品質情報に基づいて、前記受信電界レベルが最も高い基地局無線装置を、前記移動局との無線通信に最適な基地局無線装置として設定する処理と、
前記移動局による前記無線通信が行われる度に、受信した前記通信品質情報に基づいて、前記最適な基地局無線装置として設定した基地局無線装置の受信電界レベルが閾値以上であるか否かを判定し、閾値以上である場合は、該基地局無線装置を前記最適な基地局無線装置とした設定を維持する処理と、をコンピュータに実行させるプログラムが提供される。
【発明の効果】
【００２２】
本発明によれば、通信に最適な基地局無線装置の変更頻度を抑えることで、エリア登録サーバの処理負荷を低減することができ、無線通信の途切れを抑制することができる。
【図面の簡単な説明】
【００２３】
【図１】本発明の第１の実施形態である移動通信システムの構成を示す模式図である。
【図２】図１に示す移動通信システムのエリア登録サーバの構成を示すブロック図である。
【図３】図２に示すエリア登録サーバにより行われる最適基地局無線装置の情報の登録／更新処理の一手順を示すフローチャートである。
【図４】図１に示す移動通信システムの動作を説明するための模式図である。
【図５】本発明の第２の実施形態である移動通信システムの移動局の構成を示すブロック図である。
【図６】本発明の第２の実施形態の移動通信システムのエリア登録サーバにより行われる最適基地局無線装置の情報の登録／更新処理の一手順を示すフローチャートである。
【発明を実施するための形態】
【００２４】
次に、本発明の実施形態について図面を参照して説明する。
【００２５】
（第１の実施形態）
図１は、本発明の第１の実施形態である移動通信システムの構成を示す模式図である。
【００２６】
図１に示す移動通信システムは、都道府県・市町村デジタル移動通信システム等に適用可能なものであって、エリア登録サーバ１０と、無線回線制御装置２０と、ｎ台の基地局無線装置３０−１〜３０−ｎと、移動局４０と、を有する。
【００２７】
移動局４０は、携帯型無線機、可搬型無線機、車載型無線機などである。移動局４０は、操作部、無線通信部、記憶部および制御部を有する。記憶部には、少なくとも、自移動局を識別するための移動局識別情報が格納されている。制御部は、操作部を介して、通信開始のための入力操作を受け付けると、無線通信部にて、移動局識別情報を含む無線信号を送出させて無線通信を開始させる。例えば、操作部は通信ボタンを含み、通信ボタンを押下している状態で、無線通信が可能とされる。
【００２８】
無線回線制御装置２０と基地局無線装置３０−１〜３０−ｎのそれぞれとは、専用線またはＬＡＮ（Local Area Network）などを介して相互に通信可能に接続されている。
【００２９】
基地局無線装置３０−１〜３０−ｎはそれぞれ、移動局４０との無線通信が可能な範囲を規定したエリアを備え、該エリア内で、移動局４０と無線通信を行う。基地局無線装置３０−１〜３０−ｎはそれぞれ、自基地局のエリアの一部が、少なくとも１つの他の基地局無線装置のエリアの一部と重なるように配置されている。
【００３０】
また、基地局無線装置３０−１〜３０−ｎは、自基地局のエリア内の移動局との無線通信を開始した際に、受信電界レベルを測定し、受信電界レベルの測定値、自基地局を識別するための基地局識別情報、移動局の移動局識別情報、測定時刻情報などを含む受信品質情報を無線回線制御装置２０に送信する。移動局の移動局識別情報は、移動局からの無線信号に含まれている。
【００３１】
なお、基地局無線装置３０−１〜３０−ｎは、自基地局のエリア内の複数の移動局から同時に無線信号を受信した場合は、各移動局の受信品質情報を無線回線制御装置２０に送信することができる。
【００３２】
無線回線制御装置２０は、基地局無線装置３０−１〜３０−ｎからの受信品質情報のうちから同じ移動局識別情報を含む受信品質情報をまとめて移動局通信品質情報を生成し、該移動局通信品質情報をエリア登録サーバ１０に送信する。無線回線制御装置２０は、受信時刻情報を参照し、同じ移動局識別情報を含む受信品質情報のうち、同じ時刻の受信品質情報をまとめて移動局通信品質情報を生成してもよい。ここで、同じ時刻とは、完全一致だけでなく、各基地局無線装置における、同一移動局４０からの無線信号の受信時刻の差を考慮する。
【００３３】
エリア登録サーバ１０は、移動局４０毎に最適な基地局無線装置の情報が登録されるデータベースを備え、無線回線制御装置２０からの移動局通信品質情報に基づいて、データベースへの情報登録や登録情報の更新などを行う。
【００３４】
図２は、エリア登録サーバ１０の構成を示すブロック図である。
【００３５】
図２を参照すると、エリア登録サーバ１０は、無線回線制御装置２０からの移動局通信品質情報を処理する情報処理部１、情報処理部１で処理した情報が格納されるデータベース部２と、データベース部２に格納されている情報を表示する情報表示部３とを有する。
【００３６】
情報処理部１は、情報入出力部１１、情報管理部１２および情報履歴管理部１３を有する。データベース部２は、情報管理データベース２１および情報履歴データベース２２を有する。
【００３７】
情報入出力部１１は、無線回線制御装置２０との間で直接データのやり取りを行う。
【００３８】
情報管理部１２は、移動局通信品質情報に基づく最適基地局無線装置の決定処理、最適基地局無線装置の情報の情報管理データベース２１への登録処理、情報管理データベース２１に登録した最適基地局無線装置の情報の更新処理を行う。
【００３９】
情報履歴管理部１３は、情報入出力部１１が無線回線制御装置２０とやり取りした情報の履歴を情報履歴データベース２２に格納する。
【００４０】
情報表示部３は、情報管理データベース２１に格納されている情報が表示される情報表示画面３１や、情報履歴データベース２２に格納されている履歴情報が表示される情報履歴画面３２を表示することができる。
【００４１】
次に、本実施形態の移動通信システムの動作について説明する。基地局無線装置３０−１〜３０−ｎや移動局４０の動作は、既存のものと同じであるので、ここでは、情報管理部１２による最適基地局無線装置の情報の登録／更新処理について具体的に説明する。
【００４２】
図３は、最適基地局無線装置の情報の登録／更新処理の一手順を示すフローチャートである。
【００４３】
まず、情報管理部１２が、情報入出力部１１が無線回線制御装置２０からの移動局通信品質情報を受信したか否かを判定する（ステップＳ１０）。
【００４４】
移動局通信品質情報を受信した場合は、情報管理部１２は、移動局通信品質情報に含まれている移動局識別情報が情報管理データベース２２に登録されているか否かを判定する（ステップＳ１１）。
【００４５】
移動局識別情報が情報管理データベース２２に登録されていない場合は、情報管理部１２は、移動局通信品質情報に含まれている各基地局無線装置の受信電界レベルの測定値を比較し、最も測定値が高い基地局無線装置を最適な基地局無線装置と決定する（ステップＳ１２）。そして、情報管理部１２は、決定した最適な基地局無線装置の基地局識別情報を移動局識別情報と一緒に情報管理データベース２２に登録する（ステップＳ１３）。ステップＳ１３の後、最適基地局無線装置の情報の登録／更新処理は終了する。
【００４６】
移動局識別情報が情報管理データベース２２に登録されている場合は、情報管理部１２は、その移動局識別情報と対応する最適基地局無線装置の基地局識別情報を情報管理データベース２２から取得し、その取得した基地局識別情報が移動局通信品質情報に含まれているか否かを判定する（ステップＳ１４）。
【００４７】
最適基地局無線装置の基地局識別情報が移動局通信品質情報に含まれていない場合は、情報管理部１２は、ステップＳ１２、Ｓ１３の処理を実行する。この処理により、最適基地局無線装置の基地局識別情報が更新される。
【００４８】
最適基地局無線装置の基地局識別情報が移動局通信品質情報に含まれている場合は、情報管理部１２は、移動局通信品質情報に含まれている、最適基地局無線装置に対応する基地局無線装置の受信電界レベルが、予め保持している閾値より小さいか否かを判定する（ステップＳ１５）。ここで、閾値は、基地局無線装置が移動局と無線通信を行うことが可能な受信電界レベルを規定した値である。
【００４９】
最適基地局無線装置の受信電界レベルが閾値より小さい場合は、情報管理部１２は、ステップＳ１２、Ｓ１３の処理を実行する。この処理により、最適基地局無線装置の基地局識別情報が更新される。
【００５０】
最適基地局無線装置の受信電界レベルが閾値以上である場合は、最適基地局無線装置の情報の登録／更新処理は終了する。
【００５１】
上述した最適基地局無線装置の情報の登録／更新処理によれば、例えば、移動局４０の最適基地局無線装置として基地局無線装置３０−２の情報が登録された後は、他の基地局無線装置３０−１、３０−３〜３０−ｎのいずれかの受信電界レベルが基地局無線装置３０−２の受信電界レベルを超えても、基地局無線装置３０−２の受信電界レベルが閾値を下回らない限り、最適基地局無線装置は更新されない。よって、移動局４０が、基地局無線装置３０−２および隣接基地局無線装置の各エリアが重複した地域を移動しながら無線通信を断続的に複数回にわたって行った場合でも、基地局無線装置３０−２の受信電界レベルが閾値を下回らない限り、最適基地局無線装置は変更されないので、最適基地局無線装置の変更頻度を低く抑えることができ、エリア登録サーバ１０の処理負荷を低減することができる。
【００５２】
また、最適基地局無線装置の変更頻度を低く抑えることで、無線通信の途切れの発生を抑制することができる。例えば、移動局４０が、基地局無線装置３０−２および隣接基地局無線装置の各エリアが重複した地域を移動しながら無線通信を断続的に複数回にわたって行った場合に、基地局無線装置３０−２の受信電界レベルが閾値を下回らない限り、移動局４０は、基地局無線装置３０−２と無線通信を行う。このように、基地局無線装置の切り替えなしに、同一の基地局無線装置により無線通信を行うことで、無線通信の途切れの発生を抑制することができる。
【００５３】
具体例として、図４に、移動局４０が基地局無線装置３０−２のエリア３０−２Ａ内の基地局無線装置３０−１のエリア３０−１Ａと重複する地域付近を移動しながら無線通信を断続的に４回行った状態を模式的に示す。この例では、受信電界レベルの閾値は１５である。
【００５４】
図４中、Ａ１、Ａ２、Ａ３、Ａ４はそれぞれ１回目の無線通信開始地点、２回目の無線通信開始地点、３回目の無線通信開始地点、４回目の無線通信開始地点を示す。地点Ａ１は、エリア３０−２Ａ内のエリア３０−１Ａとの重複地域以外の地域に位置する。地点Ａ２は、重複地域内のエリア３０−２Ａ側に位置する。地点Ａ３は、重複地域内のエリア３０−１Ａ側に位置する。地点Ａ４は、エリア３０−１Ａ内のエリア３０−１Ａの境界付近に位置する。
【００５５】
移動局４０が地点Ａ１で無線通信を開始した場合は、エリア登録サーバ１０は、基地局無線装置３０−２を最適基地局無線装置と決定する。
【００５６】
移動局４０が地点Ａ１から地点Ａ２に移動して無線通信を開始する。移動局４０が地点Ａ２に位置するときの、基地局無線装置３０−２の受信電界レベルは２０であり、基地局無線装置３０−１の受信電界レベルは１５である。この場合、基地局無線装置３０−２の受信電界レベルが閾値以上であるので、エリア登録サーバ１０は、最適基地局無線装置の変更は行わない。すなわち、基地局無線装置３０−２が最適基地局無線装置とされた状態が維持される。
【００５７】
移動局４０が地点Ａ２から地点Ａ３に移動して無線通信を開始する。移動局４０が地点Ａ３に位置するときの、基地局無線装置３０−２の受信電界レベルは１７であり、基地局無線装置３０−１の受信電界レベルは２５である。この場合、基地局無線装置３０−２の受信電界レベルが基地局無線装置３０−２の受信電界レベルを超えているが、基地局無線装置３０−２の受信電界レベルは閾値以上であるので、エリア登録サーバ１０は、最適基地局無線装置の変更は行わない。すなわち、基地局無線装置３０−２が最適基地局無線装置とされた状態が維持される。
【００５８】
移動局４０が地点Ａ３から地点Ａ４に移動して無線通信を開始する。移動局４０が地点Ａ４に位置するときの、基地局無線装置３０−２の受信電界レベルは７であり、基地局無線装置３０−１の受信電界レベルは３５である。この場合、基地局無線装置３０−２の受信電界レベルが基地局無線装置３０−２の受信電界レベルを超えており、しかも、基地局無線装置３０−２の受信電界レベルは閾値を下回っている。よって、エリア登録サーバ１０は、基地局無線装置３０−１を最適基地局無線装置と決定する。すなわち、最適基地局無線装置が変更される。
【００５９】
（第２の実施形態）
本実施形態の移動通信システムは、移動局の現在位置情報に基づいて最適基地局無線装置を決定する機能を追加した点が第１の実施形態の移動通信システムと異なる。
【００６０】
本実施形態の移動通信システムの主要部も、図１および図２に示した構成よりなる。移動局４０は、自身の現在位置情報を取得し、その取得した現在位置情報を、ネットワークを介してエリア登録サーバ１０に供給することができる。
【００６１】
図５は、移動局４０の構成を示すブロック図である。図５を参照すると、移動局４０は、制御部４１、記憶部４２、操作部４３、無線通信部４４、ＧＰＳ（Global Positioning System）部４５および通信部４６を有する。ＧＰＳ部４５および通信部４６を除いた構成が、第１の実施形態における移動局４０に対応する。
【００６２】
無線通信部４４は、基地局無線装置との無線通信を行うものである。記憶部４２は、移動局４０の移動局識別情報等、種々の情報を保持する。操作部４３は、無線通信ボタン等を含む複数のボタンやキーからなる。
【００６３】
ＧＰＳ部４５は、複数のＧＰＳ衛星（例えば４つ以上のＧＰＳ衛星）からのＧＰＳ信号に基づいて移動局４０の現在位置を測位する。この現在位置測位は、一定時間毎に行われてもよく、操作部４３の無線通信ボタンが押下されたタイミングで行われてもよい。
【００６４】
通信部４６は、携帯電話機等で用いられている電話網等の移動体通信網を利用して、ＧＰＳ部４５で測位した現在位置情報をエリア登録サーバ１０へ送信する。
【００６５】
制御部４１は、操作部４３からの入力操作に応じた信号を受信し、該信号に従って移動局４０を動作させるための種々の処理を実行する。例えば、制御部４１は、操作部４３から無線通信開始を示す信号を受信すると、無線通信部４４にて、記憶部４２に保持されている移動局識別情報を少なくとも含む無線信号を送信させる。また、制御部４１は、ＧＰＳ部４５にて、自移動局の現在位置を取得させ、取得した現在位置の情報と記憶部４２に保持されている移動局識別情報とを少なくとも含む現在位置情報を、通信部４６からエリア登録サーバ１０へ送信させる。
【００６６】
エリア登録サーバ１０は、図２に示した構成を有するが、一部の機能が第１の実施形態のものと異なる。
【００６７】
情報入出力部１１は、無線回線制御装置２０に接続された第１の通信部と、上記移動体通信網を介した通信を行う第２の通信部を有する。
【００６８】
情報管理部１２は、最適基地局無線装置として情報管理データベース２１に登録した基地局無線装置の受信電界レベルが閾値を下回った場合に、最適基地局無線装置の変更処理（情報更新処理）を行う。この変更処理において、情報管理部１２は、移動局４０からの現在位置情報に基づいて移動局４０の現在位置を特定し、基地局無線装置３０−１〜３０−ｎのうちの移動局４０からの無線信号を受信した基地局無線装置それぞれの位置と移動局４０の現在位置との関係に基づいて、最適な基地局無線装置を決定する。
【００６９】
具体的には、情報管理部１２は、基地局無線装置３０−１〜３０−ｎそれぞれについて、エリア内の受信電界レベルが所定値以上である所定の地域の位置情報を保持している。受信電界レベルを測定するための測定装置を用いて、基地局無線装置３０−１〜３０−ｎそれぞれのエリア内の各地点の受信電界レベルを予め測定することで、所定の地域を決定することができる。
【００７０】
最適な基地局無線装置として設定した基地局無線装置の受信電界レベルが閾値未満である場合は、情報管理部１２は、第２の通信部で受信した移動局４０の現在位置情報と、予め保持した所定の地域の位置情報とに基づいて、移動局４０が他の基地局無線装置のいずれかの所定の地域内に位置するか否かを判定し、位置する場合には、該所定の地域を管理している基地局無線装置を最適な基地局無線装置として情報管理データベース２１に登録する。
【００７１】
なお、移動局４０が他の基地局無線装置のいずれの所定の地域にも位置しない場合は、情報管理部１２は、第１の実施形態で説明した移動局通信品質情報に基づいて最適な基地局無線装置を決定する。
【００７２】
図６は、本実施形態の移動通信システムにて行われる最適基地局無線装置の情報の登録／更新処理の一手順を示すフローチャートである。ステップＳ１０〜Ｓ１５までの処理は図３に示した登録／更新処理と同じである。
【００７３】
ステップＳ１５で、最適基地局無線装置の受信電界レベルが閾値より小さいと判定された場合は、ステップＳ１６で、情報管理部１２は、第２の通信部で受信した移動局４０の現在位置情報と、予め保持した所定の地域の位置情報とに基づいて、移動局４０が他の基地局無線装置のいずれかの所定の地域内に位置するか否かを判定する。
【００７４】
移動局４０が所定の地域内に位置する場合は、ステップＳ１７で、情報管理部１２は、その所定の地域を管理している基地局無線装置を最適な基地局無線装置として情報管理データベース２１に登録する。
【００７５】
移動局４０が他の基地局無線装置のいずれの所定の地域にも位置しない場合は、情報管理部１２は、ステップＳ１２、Ｓ１３の処理を実行する。この処理により、最適基地局無線装置の基地局識別情報が更新される。
【００７６】
上述した最適基地局無線装置の情報の登録／更新処理によっても、第１の実施形態と同様の作用効果を奏する。
【００７７】
加えて、最適基地局無線装置として登録した基地局無線装置の受信電界レベルが閾値を下回った場合で、受信電界レベルが所定値以上の所定の地域内に移動局４０が位置する場合は、その所定の地域を管理している基地局無線装置が最適基地局無線装置として登録される。所定の地域内では、所定値以上の受信電界レベルを維持できるため、移動局４０による無線通信を確実かつ安定的に提供することができる。
【００７８】
以上説明した各実施形態の移動通信システムは、本発明の一例であり、その構成および動作については、本発明の趣旨を逸脱しない範囲で、当業者が理解し得る変更を行ってもよい。
【００７９】
例えば、第２の実施形態の移動通信システムの、図６に示した最適基地局無線装置の情報の登録／更新処理において、ステップＳ１６、Ｓ１７の処理に代えて、移動局４０との距離が最も近い基地局無線装置を最適基地局無線装置としてデータベースに登録する処理を行ってもよい。
【００８０】
具体的には、情報管理部１２は、基地局無線装置３０−１〜３０−ｎそれぞれの基地局位置情報を保持しており、最適な基地局無線装置として設定した基地局無線装置の受信電界レベルが閾値未満である場合に、第２の通信部で受信した移動局４０の現在位置情報と保持した基地局位置情報とに基づいて、移動局通信品質情報に含まれている他の基地局無線装置のうちで、移動局４０との距離が最も近い基地局無線装置を最適な基地局無線装置として設定する。
【００８１】
また、各実施形態移動通信システムにおいて、最適基地局無線装置の変更要否の判定に用いる閾値は、各基地局無線装置に共通の値であってもよく、また、基地局無線装置別に、それぞれの受信感度に応じて規定した値であってもよい。後者の場合は、受信感度の低い基地局無線装置では、閾値を高く設定することにより、無線通信が途切れる可能性を最小限にすることが可能となる。
【００８２】
移動局４０として、携帯電話機やスマートフォン等の携帯電話端末、車載機器に組み込まれる情報端末、タブレット端末、ノート型パーソナルコンピュータ、ＰＤＡ（Personal Data Assistants：携帯情報端末）などを用いてもよい。
【００８３】
また、各実施形態移動通信システムにおいて、エリア登録サーバ１０は、プログラムに従って動作するＣＰＵ（Central processing unit）よりなり、情報処理部１１の各機能に対応するプログラム（ソフトウェア）が提供されてもよい。エリア登録サーバ１０は、少なくとも最適基地局無線装置の情報の登録／更新処理をコンピュータに実行させるプログラムを含む。このプログラムは、インターネットに代表されるネットワークを介して、外部装置からエリア登録サーバ１０へ提供されてもよく、また、コンピュータ読み出し可能な記録媒体、例えば、ＣＤ（Compact Disc）やＤＶＤ（Digital Video Disc）などの光ディスクや、ＵＳＢ（Universal Serial Bus）メモリやメモリカードなどを用いて提供されてもよい。
【００８４】
以上説明した本発明は、都道府県・市町村デジタル移動通信システム、特に、消防・救急デジタル無線システムに好適である。本発明を消防・救急デジタル無線システムに適用した場合は、統制局は、エリア登録サーバ１０および無線回線制御装置２０の他に、運用管理装置を含む。運用管理装置は、エリア登録サーバ１０に登録された最適無線基地局の情報を参照して、移動局４０への緊急報知やメッセージの送信を行う。なお、エリア登録サーバ１０が運用管理装置の機能を有していてもよい。
【符号の説明】
【００８５】
１  情報処理部
２  データベース
３  情報表示部
１１  情報入出力部
１２  情報管理部
１３  履歴管理部
２１  情報管理データベース
２２  情報履歴データベース
１０  エリア登録サーバ
２０  無線回線制御装置
３０−１〜３０−ｎ  基地局無線装置
４０  移動局
【図１】
2014033353.tif 000003
【図２】
2014033353.tif 000004
【図３】
2014033353.tif 000005
【図４】
2014033353.tif 000006
【図５】
2014033353.tif 000007
【図６】
2014033353.tif 000008